(57)【特許請求の範囲】
【請求項１】
建家（１１）を仕切壁（１１ａ）により二分し、利用者が操作するための客室（Ａ）と籾摺および精米用の機器を収容する機械室（Ｂ）とを前後方向に配置した籾摺精米設備において、
機械室（Ｂ）側の左右一側の側壁（１１ｂ）にメンテナンス口（１１ｃ）を形成し開閉扉（１１ｆ）で開閉する構成とし、
投入ホッパ（２）の穀物を揚穀する第一昇降機（３）と、
第一昇降機（３）の後方にあって、籾米を遠心脱ぷするインペラ部（２１）及び籾殻を分離する風選部（２３）を備える籾摺機（４）と、
石抜機（５）を備え、
風選部（２３）の左右一側にインペラ部（２１）を設け、風選部（２３）の左右他側にインペラ部（２１）及び風選部（２３）の伝動部を設け、
インペラ部（２１）を風選部（２３）より低い位置に設け、
第一昇降機（３）とインペラ部（２１）とを後下がり傾斜姿勢の籾米落下筒（２５）を介して連通し、
インペラ部（２１）と風選部（２３）の上部とを縦方向に延びる脱ぷ粒通過筒（２２）を介して連通し、
風選部（２３）と石抜機（５）とを前下がり傾斜姿勢の脱ぷ米落下筒（２６）により連通し、
インペラ部（２１）は、回転羽根形状のインペラ（２１ａ）と、インペラ（２１ａ）を覆う点検蓋（２１ｃ）とを備え、
インペラ（２１ａ）と、点検蓋（２１ｃ）と、脱ぷ粒通過筒（２２）をそれぞれ着脱可能に構成し、
インペラ部（２１）を前記側壁（１１ｂ）側に隣接する位置に配置し、
インペラ部（２１）の点検蓋（２１ｃ）側全体を、メンテナンス口（１１ｃ）に対向して露出する位置に配置することを特徴とする籾摺精米設備。
【請求項２】
前記風選部（２３）の上端に脱ぷ粒通過筒（２２）の開口部（２３ａ）を形成し、該上端の開口部の下方から前下がりに流下板（２４ｂ）を形成し、流下板（２４ｂ）の下方で、かつ風選部（２３）の前部に玄米送出口（２３ｃ）を形成し、玄米送出口（２３ｃ）と石抜機（５）を脱ぷ米落下筒（２６）で連結することを特徴とする請求項1記載の籾摺精米設備。
【発明の詳細な説明】
【技術分野】
【０００１】
本発明は、籾摺機および精米機を含む籾摺精米の機器１式を備えて籾米脱ぷと玄米搗精を自動処理可能に構成した籾摺精米設備に関する。
【背景技術】
【０００２】
建家内を前後に区分して客室と機械室とを形成し、その機械室には、客室操作用の投入ホッパおよび取出タンクと、これら機器と接続して籾米を脱ぷする籾摺機および玄米を精白する精米機を備えて籾米脱ぷと玄米搗精を自動処理する籾摺精米設備が知られている。特に、特許文献１の籾摺精米設備は、籾米を遠心投出によって脱ぷするインペラ部と籾殻を分離する風選部とによって構成される遠心型籾摺機を用いてインペラ部の穀粒跳ね上げ作用を利用することにより、機器間を接続して穀粒を移送する接続移送部をコンパクトに構成した例である。
【先行技術文献】
【特許文献】
【０００３】
【特許文献１】特開２０１０−５５８９号公報
【発明の概要】
【発明が解決しようとする課題】
【０００４】
しかしながら、遠心型籾摺機のインペラ部は、回転によって穀粒を遠心投出するインペラと、その投出穀粒を衝撃脱ぷするインペラケースとから構成され、このインペラケースの出口から揚穀筒を介して脱ぷ穀粒を風選部に上昇案内する構成であることから、籾摺精米設備の安定稼動のためには、インペラ部の詰まりに対する分解清掃、破損の際の部品の修理交換等の迅速な対応に必要なメンテナンススペースおよび機器配置を考慮する必要がある。
【０００５】
本発明の目的は、機械室構成のコンパクト化を図りつつ、インペラによる遠心型籾摺機のメンテナンス作業環境の確保が可能な籾摺精米設備を提供することにある。
【課題を解決するための手段】
【０００６】
請求項１に係る発明は、建家を仕切壁により二分し、利用者が操作するための客室と籾摺および精米用の機器を収容する機械室とを前後方向に配置した籾摺精米設備において、機械室側の左右一側の側壁にメンテナンス口を形成し開閉扉で開閉する構成とし、投入ホッパの穀物を揚穀する第一昇降機と、第一昇降機の後方にあって、籾米を遠心脱ぷするインペラ部及び籾殻を分離する風選部を備える籾摺機と、石抜機を備え、風選部の左右一側にインペラ部を設け、風選部の左右他側にインペラ部及び風選部の伝動部を設け、インペラ部を風選部より低い位置に設け、第一昇降機とインペラ部とを後下がり傾斜姿勢の籾米落下筒を介して連通し、インペラ部と風選部の上部とを縦方向に延びる脱ぷ粒通過筒を介して連通し、風選部と石抜機とを前下がり傾斜姿勢の脱ぷ米落下筒により連通し、インペラ部は、回転羽根形状のインペラと、インペラを覆う点検蓋とを備え、インペラと、点検蓋と、脱ぷ粒通過筒をそれぞれ着脱可能に構成し、インペラ部を前記側壁側に隣接する位置に配置し、インペラ部の点検蓋側全体を、メンテナンス口に対向して露出する位置に配置することを特徴とする。
【０００７】
上記籾摺精米設備は、客室操作用の投入ホッパおよび払出タンクと、これら機器と接続する籾摺機、精米機が建家内の機械室に配置されて自動運転により籾米脱ぷと玄米搗精を連続自動処理することができ、また、メンテナンス口を設けた側壁に近接してインペラ部と風選部とからなる遠心型籾摺機を配置し、そのインペラ部をメンテナンス口に面して配置したことから、メンテナンス口を開放することによってインペラ部のメンテナンスのための作業スペースが確保される。
【０００８】
請求項２に係る発明は、請求項１の構成において、前記風選部の上端に脱ぷ粒通過筒の開口部を形成し、該上端の開口部の下方から前下がりに流下板を形成し、流下板の下方で、かつ風選部の前部に玄米送出口を形成し、玄米送出口と石抜機を脱ぷ米落下筒で連結することを特徴とする。
【発明の効果】
【０００９】
本発明の籾摺精米設備は、メンテナンス口を設けた側壁に近接してインペラ部と風選部とからなる遠心型籾摺機を配置し、そのインペラ部をメンテナンス口に面して配置したことから、開閉扉を開放することによってインペラ部の点検蓋２１ｃ側全体が建屋外に向かってメンテナンス口に露出するため、建屋外からインペラ部のメンテナンスを行うことができ、メンテナンスがし易くなる。
また、メンテナンス口からインペラ部の点検蓋を開けることによってインペラを収容するインペラケースを開放でき、インペラを迅速に交換することができる。
また、籾米が籾米落下筒２５によって後方のインペラ部２１に流下し、インペラ２１ａによってその後方の脱ぷ粒通過筒２２を上昇して風選部２３の上部に至り、脱ぷ米落下筒２６によって前方の石抜機５に流下する円滑な流線により、第一昇降機から籾摺及び石抜機にかけて無理なく穀粒の円滑な移送ができる。
【図面の簡単な説明】
【００１０】
【図１】籾摺精米設備の主要構成機器の作業工程を示すブロック図
【図２】籾摺精米設備の全体平面図
【図３】機械室の要部正面図
【図４】機械室の要部拡大側面図
【図５】仕切壁の客室側の見取図
【図６】分解図付きインペラ部斜視図
【発明を実施するための形態】
【００１１】
上記技術思想に基づいて具体的に構成された実施の形態について以下に図面を参照しつつ説明する。
本発明に係る籾摺精米設備１は、図１の主要構成機器の作業工程を示すブロック図に示すように、投入穀物を定量繰出しする投入ホッパ２、繰出された穀物を受けて上昇投出する第１昇降機３、投出された籾米を遠心脱ぷする遠心型籾摺機４、受けた玄米中の異物を選別する石抜機５、異物選別された玄米を上昇投出する第２昇降機６、その投出玄米を搗精精白する精米機７、搗精された白米を収容する白米ホッパ８等を備え、籾米脱ぷと玄米搗精を連続自動処理可能に構成する。
【００１２】
上記第１昇降機３の投出口には、玄米を受けた場合に石抜機５に送るために切換手段である第一切換弁３ａを設けて遠心型籾摺機４と切換え可能に構成し、また、投入穀物を投入ホッパ２の上方に設ける返却口３ｃに返却するために第一切換弁３ａの下方に第二切換弁３ｂを設けて返却通路３ｄ側と石抜機５側と切換え可能に構成する。
【００１３】
籾摺精米設備１の具体的な機器配置構成は、図２の全体平面図、図３の機械室の要部正面図に示すように、建家１１を仕切壁１１ａにより二分し、利用者が操作するための客室Ａと籾摺および精米用の機器を収容する機械室Ｂとを前後に形成する。建家１１は、左右の側壁１１ｂ，１１ｂの一方を投入側Ｃ、他方を取出側Ｄとして、両側壁１１ｂ，１１ｂに機械室Ｂのメンテナンス口１１ｃ，１１ｅを形成し、仕切壁１１ａには、その略中央位置に中央扉１２を設ける。中央扉１２にはその客室側に後述の操作パネル１２ａを設ける。
【００１４】
客室Ａの左右一側には投入ホッパ２の投入口を設け、投入ホッパ２の投入口の前側には袋置台２ａを設けている。また、左右他側には白米ホッパ８の排出口を設けている。
機械室Ｂには、投入側Ｃの側壁１１ｂに隣接する位置に沿って、かつ投入ホッパ２の後方に前側から第１昇降機３、遠心型籾摺機４の順に配置する。この遠心型籾摺機４は、投入側Ｃの側壁１１ｂに形成するメンテナンス口１１ｃに面する位置に配置する。メンテナンス口１１ｃは開閉扉１１ｆで開閉される構成で、管理者が機械室Ｂ内に点検に出入りするためのものである。なお、取出側の側壁１１ｂにもメンテナンス口１１ｅを形成し、第二開閉扉１１ｇで開閉される構成である。
【００１５】
機械室Ｂの中央部には、中央扉１２の近傍に第２昇降機６を配置するとともに、その後方で同中央扉１２に臨む位置に石抜機５を配置する。機械室Ｂの取出側Ｄには白米ホッパ８の後方に精米機７を側壁１１ｂの隣接位置に配置し、精米機７の後方にサイクロン１５ｂ及び移送螺旋１５ａからなる遠心分離部１５と糠袋Ｅ，Ｅを配置する。
【００１６】
遠心型籾摺機４の詳細な構成は、図４の要部拡大側面図および図６の分解図付きインペラ部斜視図に示すように、回転羽根によって穀粒を遠心投出するインペラ２１ａを収容してその軸心位置に形成した供給口２１ｂから受けた穀粒を衝撃脱ぷするインペラケース２１とからインペラ部を構成し、該インペラ部と、インペラ部による脱ぷ粒を上方に案内投出する脱ぷ粒通過筒２２とをメンテナンス口１１ｃに対向して配置する。管理者が開閉扉１１ｆを開けるとインペラ部２１と脱ぷ粒通過筒２２とが建屋１１の外側に露出し、管理者がインペラ２１ａの交換等のメンテナンスを建屋外から行なうことができる構成である。
【００１７】
また、脱ぷ粒通過筒２２を通過した脱ぷ粒を上端開口２３ａに受けて籾殻を吸引ファン２３ｄで吸引分離する風選部２３をインペラケース２１より内側位置に、第１昇降機３の高さの範囲で高い位置に配置する。風選部２３は上端開口２３ａの下方から前下がりに形成する流下板２４ｂと、吸引ファン２３ｄと、吸引ファン２３ｄで吸引される籾殻が通過する風選路２４ｃと、排塵筒２３ｂと、流下板２４ｂの流下終端部の下方に備える玄米送出口２３ｃとを備え、玄米送出部は風選部２３の前端下部に開口し、排塵筒２３ｂは後壁１１ｄに貫通支持し、必要により遠心分離部１５の移送螺旋１５ａを接続してオーバーフロー糠の排出を行う。
【００１８】
インペラケース２１は点検蓋２１ｃによって開放可能に構成し、また、脱ぷ粒通過筒２２はインペラケース２１と風選部２３との間で着脱可能に接続してインペラ部２１を分解可能に構成する。風選部２３には、未成熟のシイナ粒が流入する二番樋２４を設け、インペラケース２１に形成したインペラ２１ａの供給口２１ｂに戻すように連通する。この供給口２１ｂは、シイナ粒をインペラ部２１に直接投入して籾米の脱ぷを迅速に処理するために、二番樋２４の入口２４ａより低位置に配置し、二番樋２４の底部を傾斜して形成する。
【００１９】
遠心型籾摺機４の接続構成は、第１昇降機３の後方で第一切換弁３ａより低位置にインペラケース２１の供給口２１ｂを配置し、両者間を後下がりに傾斜する籾米落下筒２５によって連通する。風選部２３の前端下部に開口する玄米送出口２３ｃの前方の低位置に石抜機５の玄米供給口２７ａを配置し、両者間を前下がりに傾斜する脱ぷ米落下筒２６によって連通する。この脱ぷ米落下筒２６は、第一切換弁３ａから分岐して内側に向かって横下がり傾斜して石抜機５の玄米供給口２７ａで玄米落下筒２７と合流して構成する。この玄米落下筒２７には第二切換弁３ｂを中間部に設けている。
【００２０】
遠心型籾摺機４の伝動部については、インペラ部２１と風選部２３をベルト伝動する電動モータ２８を風選部２３の下方に設け、その内側を覆う上下分割型の伝動カバー２９ａ，２９ｂを設ける。電動モータ２８はベルトテンション調節のために傾斜フレーム２８ａに対して固定位置を調節可能に構成し、また、ベルト巻角を確保するためにインペラ部２１のプーリとの間に不図示のアイドラを固定配置する。下半分の伝動カバー２９ｂは、剛性を大きくして近接する糠袋Ｅから受ける圧力に対抗可能に構成する。
【００２１】
客室Ａの仕切壁１１ａには、図５の客室側見取図に示すように、穀物投入用のシャッタ付きの投入ホッパ２を投入側Ｃに、白米取出用の白米ホッパ８を取出側Ｄに配置し、中央扉１２に設けた操作パネル１２ａにより、利用者が持参した穀物について、精米仕様の選択指定に応じた全自動運転により、籾米を籾摺精米処理するか玄米を精米処理するかをすることができる。
操作パネル１２ａには料金投入口１３ａ、精白度選択スイッチ１３ｂを設け、制御部（図示せず）を内蔵している。
【００２２】
そして、利用者が料金を投入して、投入ホッパ２に籾又は玄米を投入して精白度選択スイッチ１３ｂで所望の精白度を選択すると、機械室Ｂの装置各部が運転を開始する。本実施の形態では投入ホッパ２に籾と玄米とを判別するセンサ（図示せず）を設け、籾摺精米処理か玄米精米処理かを選択し、図１に示す作業工程順序に基づき運転する。
【００２３】
投入ホッパ２に投入された穀物が籾の場合には、第一昇降機３、遠心型籾摺機４のインペラ部２１及び風選部２３で籾摺（脱ぷ）及び籾殻の風選を経て、石抜機、第二昇降機を経由して精米機７で精米処理を行ない、精白米を白米ホッパ８へ排出する。
投入ホッパ２に投入された穀物が玄米の場合には、第一昇降機３から石抜機へ供給され、第二昇降機を経由して精米機７で精米処理を行ない、精白米を白米ホッパ８へ排出する。
【００２４】
料金分の運転時間が経過して運転が停止した際に投入ホッパ２に穀物が残留した場合には、戻しスイッチ２ｂを押すと第一昇降機３が駆動すると共に、第一切換弁３ａが石抜機５側へ、第二切換弁３ｂが返却口３ｃ側に切り換えられ、投入ホッパ２の残留穀物は返却通路３ｄを経て返却口３ｃから排出されるのを利用者は袋等で受けて持ち帰る。
【００２５】
上記のように籾摺精米設備１を構成することにより、操作パネル１２ａにおいて、料金の投入によって操作案内が開始され、この案内に沿って籾米玄米の区別選択、精白度の選択等による精米仕様を指定し、持参穀物を投入ホッパ２に投入することにより投入穀物が移送され、機械室Ｂで籾摺り、精米が行われた後、白米ホッパ８に貯留された白米を取出すことができる。
【００２６】
上記構成の遠心型籾摺機４については、建家１１の側壁１１ｂに近接して遠心型籾摺機４を配置し、同側壁１１ｂに形成したメンテナンス口１１ｃに面して、インペラ部２１を近接して配置することにより、開閉扉１１ｆを開けるだけでインペラケース２１と脱ぷ粒通過筒２２とが建屋１１の外側に露出し、メンテナンスに必要な作業が可能となるので、機械室Ｂの機器収容効率を向上して籾摺精米設備のコンパクト化を図るとともに、メンテナンススペースの確保によってインペラ部２１の詰まりやインペラ２１ａ等の部品交換に即応することができる。
【００２７】
上記遠心型籾摺機４については、点検蓋２１ｃによって開放可能なインペラケース２１と着脱可能な脱ぷ粒通過筒２２とによってインペラ部２１を構成したことから、このインペラ部２１に詰まりが発生した場合は、メンテナンス口１１ｃからインペラケース２１の点検蓋と脱ぷ粒通過筒２２を取外すことによって迅速に対応することができる。
【００２８】
また、風選部２３にシイナ粒用の二番樋２４を設けて下方のインペラケース２１の供給口２１ｂに連通したことから、シイナ粒をインペラ２１ａに直接供給して再度の脱ぷができるので、脱ぷ処理が迅速化されるとともに、インペラケース２１の点検蓋を外すことによって二番樋２４が視認可能となり二番樋２４の底部の残留米除去等のメンテナンスが可能となる。
【００２９】
上記構成の遠心型籾摺機４の籾摺り動作については、籾米が第一切換弁３ａから籾米落下筒２５によって後方のインペラケース２１の供給口２１ｂに流下し、インペラ２１ａによってその後方の脱ぷ粒通過筒２２を上昇して風選部２３の上端に至り、その玄米送出口２３ｃから脱ぷ米落下筒２６によって前方の石抜機５に流下する円滑な流線により、特段の中間駆動無しに、籾摺から石抜機に無理なく脱ぷ穀粒の円滑移送で籾摺り効率が確保され、籾摺作用の安定化によって籾摺り異常を回避することができる。
【００３０】
また、３つの落下筒２５，２６，２７は、平面視で交叉することのない簡易な構成によって容易かつ確実に組付けすることができる。また、石抜機５は、その上方に空間を確保しつつ、仕切壁１１ａの中央扉１２に対向する位置に低位配置したことから、側方の精米機７、後方の糠袋Ｅ，Ｅを密接配置した場合においても、管理者が客室Ａから中央扉１２を開けて機械室Ｂ内に入ってメンテナンスを行なうことができる。
【符号の説明】
【００３１】
１  籾摺精米設備
２  投入ホッパ
３  第１昇降機
３ａ  第一切換弁（切換手段）
４  遠心型籾摺機
５  石抜機
６  第２昇降機
７  精米機
１１  建家
１１ａ  仕切壁
１１ｂ  側壁
１１ｃ  メンテナンス口
１２  中央扉
２１  インペラケース（インペラ部）
２１ａ  インペラ（インペラ部）
２１ｂ  供給口
２２  脱ぷ粒通過筒
２３  風選部
２３ａ  上端開口
２３ｃ  玄米送出口
２４  二番樋
２５  籾米落下筒
２６  脱ぷ米落下筒
２７  玄米落下筒
２７ａ  玄米供給口
Ａ  客室
Ｂ  機械室
Ｃ  投入側
Ｄ  取出側
【図１】
0005621963.tif 000002
【図２】
0005621963.tif 000003
【図３】
0005621963.tif 000004
【図４】
0005621963.tif 000005
【図５】
0005621963.tif 000006
【図６】
0005621963.tif 000007